(57)【要約】【課題】  揺頭を交換可能な工具構造を提供する。【解決手段】  本考案の揺頭を交換可能な工具構造は、特に一種のスパナヘッドを交換可能なスパナで、かつスパナヘッドは上向きの調整が可能なもので、手工具本体１、持ち手部１０、回転屈折部１１、可動棒１２、挿入設置部１３、挿入設置孔１３１、係合部１３２からなり、挿入設置部１３の挿入設置孔１３１と相互に対応する嵌接部１４２を具えるスパナヘッド１４を挿入設置孔１３１内に挿入し、挿入設置部１３１の嵌合を受け固定され、手工具本体１と結合することにより、手工具本体１の適用範囲を広げる。【選択図】  図１
0003116360.tif 000002
【実用新案登録請求の範囲】
【請求項１】
手工具本体を含み、該手工具本体は持ち手部と挿入設置部を具え、
該持ち手部は少なくとも一端に回転屈折部を形成し、該回転屈折部は該挿入設置部と可動設置関係を呈し、これにより該挿入設置部は角度調整が可能となり、
該挿入設置部前端には挿入設置孔を形成し、該挿入設置孔にはスパナヘッドを嵌設し、該挿入設置部の挿入設置孔には異なるスパナヘッドを組合せ使用することができ、該スパナヘッドと該手工具本体間は角度調整の機能を具え、該手工具本体の適用範囲を広げることを特徴とする揺頭を交換可能な工具構造。
【請求項２】
前記挿入設置部には係合部を設置し、かつ該係合部は前記挿入設置孔に挿入設置される前記スパナヘッドを係合可能で、これにより前記スパナヘッドは脱落しにくくなることを特徴とする請求項１記載の揺頭を交換可能な工具構造。
【請求項３】
前記スパナヘッドは開口スパナヘッドであることを特徴とする請求項１記載の揺頭を交換可能な工具構造。
【請求項４】
前記スパナヘッドは梅花型スパナヘッドであることを特徴とする請求項１記載の揺頭を交換可能な工具構造。
【請求項５】
前記スパナヘッドはマフスパナヘッドであることを特徴とする請求項１記載の揺頭を交換可能な工具構造。
【請求項６】
前記スパナヘッドはラチェットスパナヘッドであることを特徴とする請求項１記載の揺頭を交換可能な工具構造。
【請求項７】
前記スパナヘッドは可動スパナヘッドであることを特徴とする請求項１記載の揺頭を交換可能な工具構造。
【考案の詳細な説明】
【技術分野】
【０００１】
本考案は一種の揺頭を交換可能な工具構造に関する。特に一種のスパナヘッドを交換可能なスパナで、該スパナヘッドは上向きの調整が可能で使用の利便性が高い揺頭を交換可能な工具構造に係る。
【背景技術】
【０００２】
ここ数年のDIYブームは社会に浸透し、DIYがごく日常的な光景になるに連れて、手工具の技術も成熟し安定して来ている。これを受けて、手工具生産業界は一般の消費者でも簡単にかつ十分な効果を発揮しつつ使えるよう、使い易い、或いは人に優しい機能を具えた手工具を次々に世に出している。
中華民国特許公告第333112号「改良された開口スパナ追加一」は持ち手部の両端にスパナ部を形成し、該スパナ部により固定部品の螺固を行うものであるが、該公知のスパナ構造のスパナ部と持ち手部は角度が固定されており、施工位置の障害物或いは平坦でない場所に対応した湾曲調整を行うことができない。すなわち、平坦な場所でしか使用できないため、非常に不便であった。
しかし、図１１、１２、１３に示す新たに開発されたスパナヘッドが屈折可能なスパナ構造も改良の必要がある。該構造はスパナ本体９０の持ち手部９１とスパナヘッド９２間に屈折可能な可動設置関係を形成し、これにより該スパナヘッド９２は角度調整の機能を具えるもので、こうして障害物が存在する施工環境に適応することができるが、該スパナ本体９０はスパナヘッド９２のみを設置可能で、交換機能を具えないため適用範囲が限られており、実用的ではない。もし異なるサイズ或いは形状のスパナヘッド９２を使用しようとするなら、別に新品を購入しなければならず、非常に不経済である。
【特許文献１】中華民国特許公告第３３３１１２号公報
【考案の開示】
【考案が解決しようとする課題】
【０００３】
公知構造には以下の欠点があった。
すなわち該構造はスパナ本体の持ち手部とスパナヘッド間に屈折可能な可動設置関係を形成し、これにより該スパナヘッドは角度調整の機能を具えるが、該スパナ本体はスパナヘッドのみを設置可能で、交換機能を具えないため、異なるサイズ或いは形状のスパナヘッドを使用することができず適用範囲が限られており、実用的ではない。
本考案は上記構造の問題点を解決した揺頭を交換可能な工具構造を提供するものである。
【課題を解決するための手段】
【０００４】
本考案の請求項１に記載の揺頭を交換可能な工具構造は、
手工具本体を含み、該手工具本体は持ち手部と挿入設置部を具え、
該持ち手部は少なくとも一端に回転屈折部を形成し、該回転屈折部は該挿入設置部と可動設置関係を呈し、これにより該挿入設置部は角度調整が可能となり、
該挿入設置部前端には挿入設置孔を形成し、該挿入設置孔にはスパナヘッドを嵌設し、該挿入設置部の挿入設置孔には異なるスパナヘッドを組合せ使用することができ、該スパナヘッドと該手工具本体間は角度調整の機能を具え、該手工具本体の適用範囲を広げることを特徴とする
【０００５】
請求項２に記載の揺頭を交換可能な工具構造は、請求項１の場合において、
前記挿入設置部には係合部を設置し、かつ該係合部は前記挿入設置孔に挿入設置される前記スパナヘッドを係合可能で、これにより前記スパナヘッドは脱落しにくくなることを特徴とする。
【０００６】
請求項３に記載の揺頭を交換可能な工具構造は、請求項１の場合において、
前記スパナヘッドは開口スパナヘッドであることを特徴とする。
【０００７】
請求項４に記載の揺頭を交換可能な工具構造は、請求項１の場合において、
前記スパナヘッドは梅花型スパナヘッドであることを特徴とする。
【０００８】
請求項５に記載の揺頭を交換可能な工具構造は、請求項１の場合において、
前記スパナヘッドはマフスパナヘッドであることを特徴とする。
【０００９】
請求項６に記載の揺頭を交換可能な工具構造は、請求項１の場合において、
前記スパナヘッドはラチェットスパナヘッドであることを特徴とする。
【００１０】
請求項７に記載の揺頭を交換可能な工具構造は、請求項１の場合において、
前記スパナヘッドは可動スパナヘッドであることを特徴とする。
【考案の効果】
【００１１】
上記のように、本考案は仰向け角度の調整が可能であるため、使用において死角がない状態となり、施工位置付近の障害物をスムーズに避けることができるようになる。これにより、使用者は螺固部品の施工において優れた効果を達成可能である。
【考案を実施するための最良の形態】
【００１２】
図１、２、３、４、５、６に示すように、本考案は主に手工具本体１を含む。該手工具本体１は少なくとも持ち手部１０の一端に回転屈折部１１を形成する。該回転屈折部１１前端は可動棒１２に対応し挿入設置部１３を可動設置することができる。該挿入設置部１３は該回転屈折部１１と可動設置状態を呈し、角度調整機能を具える。
該挿入設置部１３前端には挿入設置孔１３１を形成し、該挿入設置孔１３１は様々なスパナヘッド１４(図２、３、４、５、６、７、参照)を嵌設可能である。かつ該挿入設置部１３は別に係合部１３２(該係合部１３２はボール或いは他の類似物品により形成する。公知構造であるため、詳述しない)を設置し、該係合部１３２は該挿入設置孔１３１内のスパナヘッド１４を係合可能で、こうして該スパナヘッド１４は滑動或いは脱落の恐れを払拭することができる。
【００１３】
該スパナヘッド１４の前端は螺固部品と嵌設するスパナ部１４１で、該スパナヘッド１４の後端は嵌接部１４２である。該嵌接部１４２は該挿入設置部１３の挿入設置孔１３１と相互に対応し、該挿入設置孔１３１内に挿入される。
該スパナヘッド１４が該挿入設置部１３の挿入設置孔１３１に挿入されると、該スパナヘッド１４の嵌接部１４２は該係合部１３２の係合を受け、該挿入設置部１３と結合し、こうして使用者は便利に操作、使用することができる。
【００１４】
本考案は必要に応じて、該スパナヘッド１４を交換可能である。該スパナヘッド１４は実施例中に示すスパナヘッド１４の形態に限定するものではなく、梅花型スパナヘッド、開口スパナヘッド、ラチェットスパナヘッド、マフスパナヘッド、可動スパナヘッドなど様々な大きさ、或いは形態、構造のスパナヘッド１４に交換可能で、該挿入設置部１３挿入設置孔１３１の設置により、本考案は様々なスパナヘッド１４を使用可能となり、適用範囲を広げ実用性を向上させることができる。
【００１５】
次に図８に示すように、本考案の使用時には、必要とするスパナヘッド１４を選択後、該スパナヘッド１４を該手工具本体１の挿入設置部１３前端の挿入設置孔１３１内に挿入し、該挿入設置孔１３１の係合部１３２と該スパナヘッド１４を係合、結合させる。さらに該スパナヘッド１４を該手工具本体１と固定し、該スパナヘッド１４を施工しようとする螺固部品と嵌設し、次に手で該持ち手部１０を握り該螺固部品に対して力を加える。
該スパナヘッド１４を使用し該螺固部品を回す時には、該挿入設置部１３は該回転屈折部１１と可動設置状態を呈するため、該挿入設置部１３は仰向けの角度調整を行うことができる。こうして施工位置の状態に対応し、該スパナヘッド１４は障害物を避けながらスムーズに螺固使用とする螺固部品に対して施工が可能となる。
使用者が異なるスパナヘッド１４を使用しようとする時には、該スパナヘッド１４を該挿入設置部１３の挿入設置孔１３１から取外し、適したスパナヘッド１４を選び、再び該挿入設置孔１３１内に嵌設するだけで、便利に使用することができる。
【図面の簡単な説明】
【００１６】
【図１】本考案揺頭を交換可能な工具構造の構造分解図である。
【図２】本考案揺頭を交換可能な工具構造にスパナヘッドを組合わせる状態の指示図である。
【図３】本考案揺頭を交換可能な工具構造の外観指示図である。
【図４】本考案揺頭を交換可能な工具構造に他のスパナヘッドを組合わせる状態の指示図である。
【図５】本考案揺頭を交換可能な工具構造に他のスパナヘッドを組合わせる状態の指示図である。
【図６】本考案揺頭を交換可能な工具構造に他のスパナヘッドを組合わせる状態の指示図である。
【図７】本考案揺頭を交換可能な工具構造に他のスパナヘッドを組合わせる状態の指示図である。
【図８】本考案揺頭を交換可能な工具構造の側面断面図である。
【図９】本考案揺頭を交換可能な工具構造の作動指示図である。
【図１０】本考案揺頭を交換可能な工具構造の使用指示図である。
【図１１】公知構造の外観指示図である。
【図１２】公知構造の外観指示図である。
【図１３】公知構造の外観指示図である。
【符号の説明】
【００１７】
１  手工具本体
１０  持ち手部
１１  回転屈折部
１２  可動棒
１３  挿入設置部
１３１  挿入設置孔
１３２  係合部
１４  スパナヘッド
１４１  スパナ部
１４２  嵌接部
９０  スパナ本体
９１  持ち手部
９２  スパナヘッド
【図１】
0003116360.tif 000003
【図２】
0003116360.tif 000004
【図３】
0003116360.tif 000005
【図４】
0003116360.tif 000006
【図５】
0003116360.tif 000007
【図６】
0003116360.tif 000008
【図７】
0003116360.tif 000009
【図８】
0003116360.tif 000010
【図９】
0003116360.tif 000011
【図１０】
0003116360.tif 000012
【図１１】
0003116360.tif 000013
【図１２】
0003116360.tif 000014
【図１３】
0003116360.tif 000015